(57)【要約】【課題】  複数のカーテンやシーツなどの布を積み重ねた場合でも、積み重ねの結果として下に位置することとなった布にしわがつくことを防止できる布形状保持装置を提供する。【解決手段】  布１２に巻かれることによって布１２を所定の形状に保持する布形状保持装置１である。この布形状保持装置１は、一対の円柱状体２、３と、この一対の円柱状体２、３に取付けられ、この一対の円柱状体２、３を所定の間隔に保持する間隔保持体４と、を備えている。【選択図】          図６
2006027693.tif 000002
【特許請求の範囲】
【請求項１】
布に巻かれることによって布を所定の形状に保持する布形状保持装置において、
一対の円柱状体と、
前記一対の円柱状体に取付けられ、前記一対の円柱状体を所定の間隔に保持する間隔保持体と、
を備えたことを特徴とする布形状保持装置。
【請求項２】
布に巻かれることによって布を所定の形状に保持する布形状保持装置において、
一対の半円柱状体と、
前記一対の半円柱状体に取付けられ、前記一対の半円柱状体を所定の間隔に保持する間隔保持体と、
を備えたことを特徴とする布形状保持装置。
【請求項３】
前記布は、カーテン、シーツ、のれん、またはカバーであることを特徴とする請求項１または請求項２に記載の布形状保持装置。
【発明の詳細な説明】
【技術分野】
【０００１】
本発明は、布に巻かれることによって布を所定の形状に保持する布形状保持装置に関する。
【背景技術】
【０００２】
カーテンやシーツなどの布は、その形状が容易に変形するものであるため、これをそのままビニールの袋などにつめて運搬や陳列などすると、陳列棚への陳列、陳列棚からの取り出し、購入した布の持ち帰りなどが極めて不便なものとなる。そこで、従来は、図７に示すように、カーテンやシーツなどの布１２を、ダンボール１４などに巻いた上でビニールなどの袋１３につめ、運搬や陳列などしていた。
【発明の開示】
【発明が解決しようとする課題】
【０００３】
しかしながら、カーテンやシーツなどの布の運搬や陳列などは、複数のカーテンやシーツなどの布を積み重ねて行うことが多い。したがって、ダンボールなどに巻かれたに過ぎない布では、積み重ねの結果として他の布の下に位置することとなった場合に、上に位置することとなった他の布の重さによってしわがついてしまうという問題があった。そして、その結果、購入後、直ちに布を使用しようと希望していた者が、下に位置する布を購入してしまったが故に、アイロンをあてるなどの面倒な作業をしなければならなくなるという問題が生じていた。
【０００４】
そこで、本発明は、複数のカーテンやシーツなどの布を積み重ねた場合でも、積み重ねの結果として下に位置することとなった布にしわがつくことを防止できる布形状保持装置を提供することを目的とする。
【課題を解決するための手段】
【０００５】
本発明によれば、上記した課題は、次の手段によって、解決される。
【０００６】
第１の発明は、布に巻かれることによって布を所定の形状に保持する布形状保持装置において、一対の円柱状体と、前記一対の円柱状体に取付けられ、前記一対の円柱状体を所定の間隔に保持する間隔保持体と、を備えたことを特徴とする布形状保持装置である。
【０００７】
第２の発明は、布に巻かれることによって布を所定の形状に保持する布形状保持装置において、一対の半円柱状体と、前記一対の半円柱状体に取付けられ、前記一対の半円柱状体を所定の間隔に保持する間隔保持体と、を備えたことを特徴とする布形状保持装置である。
【０００８】
第３の発明は、前記布は、カーテン、シーツ、のれん、またはカバーであることを特徴とする第１の発明または第２の発明に係る布形状保持装置である。
【発明の効果】
【０００９】
本発明によれば、複数のカーテンやシーツなどの布を積み重ねた場合でも、積み重ねの結果として下に位置することとなった布にしわがつくことを防止することができる。したがって、本発明によれば、購入後、直ちに布を使用しようと希望していた者は、下に位置する布を購入した場合であっても、アイロンをあてるなどの面倒な作業をすることなく、直ちに布を使用することができるようになる。
【発明を実施するための最良の形態】
【００１０】
以下に、添付した図面を参照しつつ、本発明を実施するための最良の形態を詳細に説明する。
【００１１】
図６は、本発明の実施の形態に係る布形状保持装置にカーテンを巻いて、ビニールの袋につめた様子を示す図である。図６において、符号１は、本発明の実施の形態に係る布形状装置であり、符号１２は、カーテンであり、符号１３は、ビニールの袋である。以下、この符号１で示した本発明の実施の形態に係る布形状保持装置について説明する。
【００１２】
図１は、本発明の実施の形態に係る布形状保持装置１について説明する図である。
図１に示すように、本発明の実施の形態に係る布形状保持装置１は、一対の円柱状体２、３と、長方形状の間隔保持体４と、を備えている。
【００１３】
円柱状体２、３は、複数のカーテンの重さに耐え得る強度で作られている。したがって、円柱状体２、３は、複数のカーテンが上に積み重ねられても、その形状がほとんど変化しない。なお、この円柱状体２、３は、たとえばダンボールなどによって作成することができるが、本発明の実施の形態が、この円柱状体２、３の材質を限定するものでないことはいうまでもない。
【００１４】
また、円柱状体２、３には、それぞれ差し込み口ａ、ｂが設けられており、間隔保持体４は、この差し込み口ａ、ｂに差し込まれることによって、円柱状体２、３に取り付けられる。円柱状体２、３に取り付けられた間隔保持体４は、円柱状体２、３を所定の間隔に保持する。なお、この間隔保持体４は、たとえばダンボールなどによって作成することができるが、本発明の実施の形態が、この間隔保持体４の材質を限定するものでないことはいうまでもない。
【００１５】
以上説明した本発明の実施の形態に係る布形状保持装置１によれば、巻かれた布の折り返し箇所に接する布形状保持装置１の箇所が、曲面となるため、巻かれた布の折り返し箇所に接する箇所がダンボールの両端であった従来の場合と比較して、カーテンにつくしわを大幅に防止することができる。
【００１６】
また、上記したように、円柱状体２、３は、複数のカーテンの重さに耐え得る強度で作られており、複数のカーテンが上に積み重ねられても、その形状がほとんど変化しない。したがって、複数のカーテンを積み重ねても、下に位置する布形状保持装置１の円柱状体２、３は、円柱状のままである。よって、本発明の実施の形態に係る布形状保持装置１によれば、複数のカーテンを積み重ねても、下に位置するカーテンにしわがつくことを防止することができる。
【００１７】
また、上記したように、本発明の実施の形態に係る布形状保持装置１においては、間隔保持体４によって、円柱状体２、３の間隔が所定の間隔に保持される。したがって、本発明の実施の形態に係る布形状保持装置１に巻かれたカーテンは、本発明の実施の形態に係る布形状保持装置１に巻かれている間、その形状が保持される。
【００１８】
なお、上記した実施の形態においては、間隔保持体４の縦の長さＡを円柱状体の長さＢに略等しいものとしたが、本発明は、間隔保持体の形状を限定するものではない。したがって、本発明においては、円柱状体２、３を所定の間隔に保持できるものであるならば、たとえば、図２、図３に示すように、縦の長さＡが円柱状体の長さＢよりも短い少なくとも１つの間隔保持体を用いることができる。
【００１９】
また、上記した実施の形態においては、間隔保持体４を円柱状体２、３に取り付けるに際して、円柱状体に差し込み口ａ、ｂを設けて、この差し込み口ａ、ｂに間隔保持体４を差し込むことしたが、本発明は、間隔保持体の円柱状体への取り付け方法を限定するものでなはない。したがって、間隔保持体の円柱状体への取り付けは、たとえば円柱状体６、７のように、差し込み口を設けることなく、円柱状体６、７の両端にある開口に間隔保持体を差し込むという方法によっても行うことができる（図４参照）。
【００２０】
また、上記した実施の形態においては、布形状保持装置１が円柱状体２、３を備えることとしたが、本発明においては、図５に示すように、この円柱状体２、３に代えて、半円柱状体９、１０を備えることとすることもできる。半円柱状９、１０であっても、巻かれた布の折り返し箇所に接する布形状保持装置の箇所が曲面となるため、巻かれた布の折り返し箇所に接する箇所がダンボールの両端であった従来の場合と比較して、カーテンにつくしわを大幅に防止することができる。なお、本発明は、間隔保持体１１を半円柱状体９、１０に取り付ける方法を限定するものではないが、間隔保持体１１は、たとえば、接着剤によって、半円柱状体９、１０に取り付けることができる。
【００２１】
なお、上記した実施の形態では、布形状保持装置にカーテンを巻く場合について説明したが、本発明に係る布形状保持装置に、シーツやのれんやカバーなどのカーテン以外の布を巻くことができることはいうまでもない。
【産業上の利用可能性】
【００２２】
本発明は、すべての布に利用できるが、特に、ドレープ性を重視するカーテンに適している。
【図面の簡単な説明】
【００２３】
【図１】本発明の実施の形態に係る布形状保持装置１を示す図である。
【図２】間隔保持体の第２の例を示す図である。
【図３】間隔保持体の第３の例を示す図である。
【図４】間隔保持体の第４の例を示す図である。
【図５】本発明の実施の形態に係る布形状保持装置の他の例を示す図である。
【図６】本発明の実施の形態に係る布形状保持装置にカーテンを巻いて、ビニールの袋につめた様子を示す図である。
【図７】カーテンやシーツなどの布を、ダンボールなどに巻いた上でビニールなどの袋につめる従来の様子を示す図である。
【符号の説明】
【００２４】
１    布形状保持装置
２    円柱状体
３    円柱状体
４    間隔保持体
５    間隔保持体
６    円柱状体
７    円柱状体
８    間隔保持体
９    半円柱状体
１０    半円柱状体
１１    間隔保持体
１２    カーテン
１３    ビニールの袋
１４    ダンボール
【図１】
2006027693.tif 000003
【図２】
2006027693.tif 000004
【図３】
2006027693.tif 000005
【図４】
2006027693.tif 000006
【図５】
2006027693.tif 000007
【図６】
2006027693.tif 000008
【図７】
2006027693.tif 000009